(57)【要約】パイロット・シンボル及びデータ・シンボルの電力スペクトル密度が、データ・シンボル及びパイロット・シンボルの少なくとも一つのピーク対平均比率（ＰＡＲ）に基づいてデータ・シンボル及びパイロット・シンボルの少なくとも一つの電力スペクトル密度を決定することによって、無線ネットワークにおける移動局による上り回線伝送のために制御される。データ・シンボル及びパイロット・シンボルの少なくとも一つの電力スペクトル密度は、その後、データ・シンボルのＰＡＲとパイロット・シンボルのＰＡＲとの間の差分に基づいて動的に調整される。パイロット・シンボル及びデータ・シンボルの電力スペクトル密度の変化は上り回線伝送の受信側に信号通信される。受信側によって受入れ可能であるならば、パイロット・シンボル及びデータ・シンボルは上り回線伝送の受信側に伝送される。【選択図】    図３
2010509853.tif 000002
【特許請求の範囲】
【請求項１】
無線ネットワークにおいて移動局による上り回線伝送のパイロット・シンボル及びデータ・シンボルの電力スペクトル密度を制御する方法であって、
前記データ・シンボル及び前記パイロット・シンボルの少なくとも一つのピーク対平均比率（ＰＡＲ）に基づいて前記データ・シンボル及び前記パイロット・シンボルの少なくとも一つの電力スペクトル密度を決定することと、
前記データ・シンボルのＰＡＲと前記パイロット・シンボルのＰＡＲとの間の差分に基づいて前記パイロット・シンボル及び前記データ・シンボルの少なくとも一つの電力スペクトル密度を動的に調整することと、
を備えた方法。
【請求項２】
変調手法に基づいて検索表から前記データ・シンボルのＰＡＲ及び前記パイロット・シンボルのＰＡＲを取得することをさらに備えた、請求項１に記載の方法。
【請求項３】
前記パイロット・シンボル及び前記データ・シンボルの前記電力スペクトル密度における変化を前記上り回線伝送の受信側に信号通信することをさらに備えた、請求項１に記載の方法。
【請求項４】
前記パイロット・シンボル及び前記データ・シンボルを前記上り回線伝送の受信側に伝送することをさらに備えた、請求項１に記載の方法。
【請求項５】
前記信号通信は、
前記受信側からの参照信号を決定することと、
前記参照信号の電力スペクトル密度に基づいて前記パイロット・シンボル及び前記データ・シンボルの電力スペクトル密度におけるそれぞれの変化を計算することと、
前記計算されたそれぞれの変化を受信側に伝送することと、
を含む、請求項３に記載の方法。
【請求項６】
前記参照信号はＱＰＳＫ変調によるＣＱＩチャネルである、請求項５に記載の方法。
【請求項７】
前記参照信号は広帯域パイロットである、請求項５に記載の方法。
【請求項８】
チャネル品質指標（ＣＱＩ）及び広帯域パイロットの双方が前記無線ネットワークにおいて前記参照信号として使用されるが、一つだけが一つのセクター内で使用されるならば、前記参照信号はＢＣＨ同報を使用して決定される、請求項５に記載の方法。
【請求項９】
ＣＱＩ及び広帯域パイロットの双方が一つのセクター内で前記参照信号として使用されるならば、前記参照信号はＬ３信号通信を使用して決定される、請求項５に記載の方法。
【請求項１０】
前記参照信号は前記無線ネットワーク全体で一貫している、請求項５に記載の方法。
【請求項１１】
前記パイロット・シンボル及び前記データ・シンボルの前記電力スペクトル密度が伝送のために受入れ可能か否かを受信側によって決定することをさらに備えた、請求項１に記載の方法。
【請求項１２】
無線ネットワークにおいて移動局による上り回線伝送のパイロット・シンボル及びデータ・シンボルの電力スペクトル密度を制御するための装置であって、
前記データ・シンボル及び前記パイロット・シンボルの少なくとも一つのピーク対平均比率（ＰＡＲ）に基づいて前記データ・シンボル及び前記パイロット・シンボルの少なくとも一つの電力スペクトル密度を決定するために構成されたプロセッサーと、
前記データ・シンボルのＰＡＲと前記パイロット・シンボルのＰＡＲとの間の差分に基づいて前記パイロット・シンボル及び前記データ・シンボルの少なくとも一つの電力スペクトル密度を動的に調整するために構成された調整可能利得ユニットと、
を備えた装置。
【請求項１３】
前記データ・シンボルのＰＡＲ及び前記パイロット・シンボルのＰＡＲは変調手法に基づいて検索表から取得される、請求項１２に記載の装置。
【請求項１４】
前記パイロット・シンボル及び前記データ・シンボルの前記電力スペクトル密度における変化を前記上り回線伝送の受信側に信号通信するように構成された送信機をさらに備えた、請求項１２に記載の装置。
【請求項１５】
前記パイロット・シンボル及び前記データ・シンボルを上り回線伝送の受信側に伝送するように構成された送信機をさらに備えた、請求項１２に記載の装置。
【請求項１６】
前記受信側からの参照信号を決定し、且つ前記参照信号の電力スペクトル密度に基づいて前記パイロット・シンボル及び前記データ・シンボルの前記電力スペクトル密度におけるそれぞれの変化を計算するように構成されたプロセッサーと、
前記計算されたそれぞれの変化を前記受信側に伝送するように構成された送信機と、
をさらに備えた、請求項１４に記載の装置。
【請求項１７】
前記参照信号はＱＰＳＫ変調によるＣＱＩチャネルである、請求項１６に記載の装置。
【請求項１８】
前記参照信号は広帯域パイロットである、請求項１６に記載の装置。
【請求項１９】
チャネル品質指標（ＣＱＩ）及び広帯域パイロットの双方が前記無線ネットワークにおいて前記参照信号として使用されるが、一つだけが一つのセクター内で使用されるならば、前記参照信号はＢＣＨ同報を使用して決定される、請求項１６記載の装置。
【請求項２０】
ＣＱＩ及び広帯域パイロットの双方が一つのセクター内で前記参照信号として使用されるならば、前記参照信号はＬ３信号通信を使用して決定される、請求項１６に記載の装置。
【請求項２１】
前記参照信号は前記無線ネットワーク全体で一貫している、請求項１６に記載の装置。
【請求項２２】
前記パイロット・シンボル及び前記データ・シンボルの前記電力スペクトル密度が伝送するために受入れ可能か否かを受信側において決定するように構成された決定ユニットをさらに備えた、請求項１２に記載の装置。
【請求項２３】
コンピューター可読媒体を備えたコンピューター・プログラム製品であって、
前記コンピューター可読媒体は、
データ・シンボル及びパイロット・シンボルの少なくとも一つのピーク対平均比率（ＰＡＲ）に基づいて前記データ・シンボル及び前記パイロット・シンボルの少なくとも一つの電力スペクトル密度をコンピューターに決定させるためのコードと、
前記データ・シンボルのＰＡＲと前記パイロット・シンボルのＰＡＲとの間の差分に基づいて前記パイロット・シンボル及び前記データ・シンボルの少なくとも一つの前記電力スペクトル密度を動的にコンピューターに調整させるためのコードと、
を備えたコンピューター・プログラム製品。
【請求項２４】
前記データ・シンボルのＰＡＲ及び前記パイロット・シンボルのＰＡＲは、変調手法に基づいて検索表から取得される、請求項２３に記載のコンピューター・プログラム製品。
【請求項２５】
前記パイロット・シンボル及び前記データ・シンボルの前記電力スペクトル密度における変化を上り回線伝送の受信側に信号通信するためのコードをさらに備えた、請求項２３に記載のコンピューター・プログラム製品。
【請求項２６】
前記パイロット・シンボル及び前記データ・シンボルを上り回線伝送の受信側に伝送するためのコードをさらに備えた、請求項２３に記載のコンピューター・プログラム製品。
【請求項２７】
前記受信側からの参照信号を決定し、且つ前記参照信号の電力スペクトル密度に基づいて前記パイロット・シンボル及び前記データ・シンボルの前記電力スペクトル密度におけるそれぞれの変化を計算するためのコードと、
前記計算されたそれぞれの変化を前記受信側に伝送するためのコードと、
をさらに備えた、請求項２５に記載のコンピューター・プログラム製品。
【請求項２８】
前記参照信号はＱＰＳＫ変調によるＣＱＩチャネルである、請求項２７に記載のコンピューター・プログラム製品。
【請求項２９】
前記参照信号は広帯域パイロットである、請求項２７に記載のコンピューター・プログラム製品。
【請求項３０】
チャネル品質指標（ＣＱＩ）及び広帯域パイロットの双方が前記無線ネットワークにおいて前記参照信号として使用されるが、一つだけが一つのセクター内で使用されるならば、前記参照信号はＢＣＨ同報を使用して決定される、請求項２７に記載のコンピューター・プログラム製品。
【請求項３１】
ＣＱＩ及び広帯域パイロットの双方が一つのセクター内で前記参照信号として使用されるならば、前記参照信号はＬ３信号通信を使用して決定される、請求項２７に記載のコンピューター・プログラム製品。
【請求項３２】
前記参照信号は前記無線ネットワーク全体で一貫している、請求項２７に記載のコンピューター・プログラム製品。
【請求項３３】
前記パイロット・シンボル及び前記データ・シンボルの前記電力スペクトル密度が伝送のために受入れ可能か否かを、受信側において決定するためのコードをさらに備えた、請求項２３に記載のコンピューター可読媒体。
【請求項３４】
無線ネットワークにおいて移動局による上り回線伝送のパイロット・シンボル及びデータ・シンボルの電力スペクトル密度を制御するための命令を実行するプロセッサーであって、
前記命令は、
前記データ・シンボル及び前記パイロット・シンボルの少なくとも一つのピーク対平均比率（ＰＡＲ）に基づいて前記データ・シンボル及び前記パイロット・シンボルの少なくとも一つの電力スペクトル密度を決定することと、
前記データ・シンボルのＰＡＲと前記パイロット・シンボルのＰＡＲとの間の差分に基づいて前記パイロット・シンボル及び前記データ・シンボルの少なくとも一つの電力スペクトル密度を動的に調整することと、
を備える、プロセッサー。
【請求項３５】
前記データ・シンボルのＰＡＲ及び前記パイロット・シンボルのＰＡＲは変調手法に基づいて検索表から取得される、請求項３４に記載のプロセッサー。
【請求項３６】
前記命令は、前記パイロット・シンボル及び前記データ・シンボルの前記電力スペクトル密度における変化を前記上り回線伝送の受信側に信号伝送することをさらに備える、請求項３４に記載のプロセッサー。
【請求項３７】
前記命令は、前記パイロット・シンボル及び前記データ・シンボルを上り回線伝送の受信側に伝送することをさらに備える、請求項３４に記載のプロセッサー。
【請求項３８】
前記命令は、
前記受信側からの参照信号を決定し、且つ前記参照信号の電力スペクトル密度に基づいて前記パイロット・シンボル及び前記データ・シンボルの前記電力スペクトル密度におけるそれぞれの変化を計算することと、
前記計算されたそれぞれの変化を前記受信側に伝送することと、
をさらに備える、請求項３６に記載のプロセッサー。
【請求項３９】
前記参照信号はＱＰＳＫ変調によるＣＱＩチャネルである、請求項３８に記載のプロセッサー。
【請求項４０】
前記参照信号は広帯域パイロットである、請求項３８に記載のプロセッサー。
【請求項４１】
チャネル品質指標（ＣＱＩ）及び広帯域パイロットの双方が前記無線ネットワークにおける前記参照信号として使用されるが、一つだけが一つのセクター内で使用されるならば、前記参照信号はＢＣＨ同報を使用して決定される、請求項３８に記載のプロセッサー。
【請求項４２】
ＣＱＩ及び広帯域パイロットの双方が一つのセクター内で前記参照信号として使用されるならば、前記参照信号はＬ３信号通信を通して決定される、請求項３８に記載のプロセッサー。
【請求項４３】
前記参照信号は前記無線ネットワーク全体で一貫している、請求項３８に記載のプロセッサー。
【請求項４４】
前記命令は、前記パイロット・シンボル及び前記データ・シンボルの前記電力スペクトル密度が伝送のために受入れ可能か否かを受信側において決定することをさらに備える、請求項３４に記載のプロセッサー。
【請求項４５】
無線ネットワークにおける移動局による上り回線伝送のパイロット・シンボル及びデータ・シンボルの電力スペクトル密度を制御するための装置であって、
前記データ・シンボル及び前記パイロット・シンボルの少なくとも一つのピーク対平均比率（ＰＡＲ）に基づいて前記データ・シンボル及び前記パイロット・シンボルの少なくとも一つの電力スペクトル密度を決定するための手段と、
前記データ・シンボルのＰＡＲと前記パイロット・シンボルのＰＡＲとの間の差分に基づいて前記パイロット・シンボル及び前記データ・シンボルの少なくとも一つの電力スペクトル密度を動的に調整するための手段と、
を備えた装置。
【請求項４６】
前記データ・シンボルのＰＡＲ及び前記パイロット・シンボルのＰＡＲは変調手法に基づいて検索表から取得される、請求項４５に記載の装置。
【請求項４７】
前記パイロット・シンボル及び前記データ・シンボルの前記電力スペクトル密度における変化を前記上り回線伝送の受信側に信号伝送するための手段をさらに備えた、請求項４５に記載の装置。
【請求項４８】
前記パイロット・シンボル及び前記データ・シンボルを前記上り回線伝送の受信側に伝送するための手段をさらに備えた、請求項４５に記載の装置。
【請求項４９】
前記受信側からの参照信号を決定し、且つ前記参照信号の電力スペクトル密度に基づいて前記パイロット・シンボル及び前記データ・シンボルの前記電力スペクトル密度におけるそれぞれの変化を計算するための手段と、
前記計算されたそれぞれの変化を前記受信側に伝送するための手段と、
をさらに備えた、請求項４７に記載の装置。
【請求項５０】
前記参照信号はＱＰＳＫ変調によるＣＱＩチャネルである、請求項４９に記載の装置。
【請求項５１】
前記参照信号は広帯域パイロットである、請求項４９に記載の装置。
【請求項５２】
チャネル品質指標（ＣＱＩ）及び広帯域パイロットの双方が前記無線ネットワークにおける前記参照信号として使用されるが、一つだけが一つのセクター内で使用されるならば、前記参照信号はＢＣＨ同報を使用して決定される、請求項４９に記載の装置。
【請求項５３】
ＣＱＩ及び広帯域パイロットの双方が一つのセクター内で前記参照信号として使用されるならば、前記参照信号はＬ３信号通信を通して決定される、請求項４９に記載の装置。
【請求項５４】
前記参照信号は前記無線ネットワーク全体で一貫している、請求項４９に記載の装置。
【請求項５５】
前記パイロット・シンボル及び前記データ・シンボルの前記電力スペクトル密度が伝送のために受入れ可能か否かを、受信側において決定するための手段をさらに備えた、請求項４５に記載の装置。
【請求項５６】
無線ネットワークにおいて移動局による上り回線伝送のパイロット・シンボル及びデータ・シンボルの電力スペクトル密度を制御するためのシステムであって、
前記データ・シンボル及び前記パイロット・シンボルの少なくとも一つのピーク対平均比率（ＰＡＲ）に基づいて前記データ・シンボル及び前記パイロット・シンボルの少なくとも一つの電力スペクトル密度を決定するように構成されたプロセッサーと、
前記データ・シンボルのＰＡＲと前記パイロット・シンボルのＰＡＲとの間の差分に基づいて前記パイロット・シンボル及び前記データ・シンボルの少なくとも一つの電力スペクトル密度を動的に調整するように構成された調整可能利得ユニットと、
を備えたシステム。
【請求項５７】
前記データ・シンボルのＰＡＲ及び前記パイロット・シンボルのＰＡＲは変調手法に基づいて検索表から取得される、請求項５６に記載のシステム。
【請求項５８】
前記パイロット・シンボル及び前記データ・シンボルの前記電力スペクトル密度における変化を前記上り回線伝送の受信側に信号伝送するように構成された送信機をさらに備えた、請求項５６に記載のシステム。
【請求項５９】
前記パイロット・シンボル及び前記データ・シンボルを前記上り回線伝送の受信側に伝送するように構成された送信機をさらに備えた、請求項５６に記載のシステム。
【請求項６０】
前記受信側からの参照信号を決定し、且つ前記参照信号の電力スペクトル密度に基づいて前記パイロット・シンボル及び前記データ・シンボルの前記電力スペクトル密度におけるそれぞれの変化を計算するように構成されたプロセッサーと、
前記計算されたそれぞれの変化を前記受信側に伝送するように構成された送信機と、
をさらに備えた、請求項５８に記載のシステム。
【請求項６１】
前記参照信号はＱＰＳＫ変調によるＣＱＩチャネルである、請求項６０に記載のシステム。
【請求項６２】
前記参照信号は広帯域パイロットである、請求項６０に記載のシステム。
【請求項６３】
チャネル品質指標（ＣＱＩ）及び広帯域パイロットの双方が前記無線ネットワークにおける前記参照信号として使用されるが、一つだけが一つのセクター内で使用されるならば、前記参照信号はＢＣＨ同報を使用して決定される、請求項６０に記載のシステム。
【請求項６４】
ＣＱＩ及び広帯域パイロットの双方がセクター内で参照信号として使用されるならば、参照信号はＬ３信号通信を通して決定される、請求項６０記載のシステム。
【請求項６５】
前記参照信号は前記無線ネットワーク全体で一貫している、請求項６０に記載のシステム。
【請求項６６】
前記パイロット・シンボル及び前記データ・シンボルの前記電力スペクトル密度が伝送のために受入れ可能か否かを、受信側において決定するように構成された決定ユニットをさらに備えた、請求項５６に記載のシステム。
【発明の詳細な説明】
【米国特許法のもとでの優先権の主張】
【０００１】
本特許出願は２００６年１１月３日及び２００７年２月８日にそれぞれ出願され、且つ両者ともにここの譲受人に譲渡され、これによりここに引例により組込まれている、「Ｅ−ＵＴＲＡ ＵＬの伝送ＰＳＤ調整のための方法及び装置（A METHOD AND APPARATUS FOR TRANSMIT PSD ADJUSTMENT FOR E-UTRA UL）」と題する仮出願番号第６０／８６４，３４２号、及び「Ｅ−ＵＴＲＡ ＵＬの伝送ＰＳＤ調整（TRANSMIT PSD ADJUSTMENT FOR E-UTRA UL）」と題する第６０／８８８，９０５号への優先権を主張する。
【技術分野】
【０００２】
本開示は一般に無線通信に係り、特に電力スペクトル密度の動的調整に関する。
【背景技術】
【０００３】
無線通信システムは音声、データ等といった様々な形式の通信内容を提供するために広く展開されている。これらのシステムは利用可能なシステム資源（例えば、帯域幅及び伝送電力）を共有することによって多数のユーザーとの通信に対応できる多元アクセス・システムである。そのような多元アクセス・システムの例は符号分割多元アクセス（ＣＤＭＡ）システム、時分割多元アクセス（ＴＤＭＡ）システム、周波数分割多元アクセス（ＦＤＭＡ）システム、３ＧＰＰ ＬＴＥシステム、及び直交周波数分割多元アクセス（ＯＦＤＭＡ）システムを含む。
【０００４】
一般に、無線多元アクセス通信システムは多数の無線端末の通信に同時に対応することができる。各端末は一つ以上の基地局と順方向及び逆方向回線上の伝送を介して通信する。順方向回線（または、下り回線）は基地局から端末への通信回線を云い、そして逆方向回線（または、上り回線）は端末から基地局への通信回線を云う。この通信回線は単一入力・単一出力、多入力・単一出力または多入力・多出力（ＭＩＭＯ）システムによって確立される。
【０００５】
ＭＩＭＯシステムはデータ伝送のために多元（ＮＴ）送信アンテナ及び多元（ＮＲ）受信アンテナを使用する。ＮＴ送信アンテナ及びＮＲ受信アンテナによって形成されたＭＩＭＯチャネルはＮＳ個の独立したチャネルに分解され、それらはまた空間チャネルと呼ばれる（ここで、ＮＳ≦ｍｉｎ{ＮＴ，ＮＲ}）。ＮＳ個の独立チャネルの各々は次元に対応する。ＭＩＭＯシステムは多元送信アンテナ及び受信アンテナによってつくられた追加次元が利用されるならば動作特性（例えば、高処理能力及び／または高信頼性）を改良することができる。
【０００６】
ＭＩＭＯシステムは時分割二重（ＴＤＤ）システム及び周波数分割二重（ＦＤＤ）システムに対応する。ＴＤＤシステムでは、順方向及び逆方向回線伝送は同じ周波数領域にあり、そのため相互原理により逆方向回線チャネルから順方向回線チャネルの推定が可能である。これによって多元アンテナがアクセスポイントにおいて利用可能なときアクセスポイントは順方向回線上で伝送ビーム形成利得を推定することが可能になる。
【発明の概要】
【０００７】
本開示の一形態は無線ネットワークにおける移動局による上り回線伝送のためのパイロット・シンボル及びデータ・シンボルの電力スペクトル密度を制御する方法に関する。その方法はデータ・シンボル及びパイロット・シンボルの少なくとも一つのピーク対平均比率（peak-to-average ratio：ＰＡＲ）に基づいてデータ・シンボル及びパイロット・シンボルの少なくとも一つの電力スペクトル密度を決定すること、及びデータ・シンボルのＰＡＲとパイロット・シンボルのＰＡＲとの間の差分に基づいてデータ・シンボル及びパイロット・シンボルの少なくとも一つの電力スペクトル密度を動的に調整することを含む。
【０００８】
本開示の別の形態は無線ネットワークにおける移動局による上り回線伝送のためのパイロット・シンボル及びデータ・シンボルの電力スペクトル密度を制御する装置に関する。その装置はデータ・シンボル及びパイロット・シンボルの少なくとも一つのＰＡＲに基づいてデータ・シンボル及びパイロット・シンボルの少なくとも一つの電力スペクトル密度を決定するために構成されたプロセッサー、及びデータ・シンボルのＰＡＲとパイロット・シンボルのＰＡＲとの間の差分に基づいてデータ・シンボル及びパイロット・シンボルの少なくとも一つの電力スペクトル密度を動的に調整するために構成された調整可能な利得ユニットを含む。
【０００９】
本開示のさらに別の形態は無線ネットワークにおける移動局による上り回線伝送のためのパイロット・シンボル及びデータ・シンボルの電力スペクトル密度を制御する装置に関する。その装置はデータ・シンボル及びパイロット・シンボルの少なくとも一つのＰＡＲに基づいてデータ・シンボル及びパイロット・シンボルの少なくとも一つの電力スペクトル密度を決定するための手段、及びデータ・シンボルのＰＡＲとパイロット・シンボルのＰＡＲとの間の差分に基づいてデータ・シンボル及びパイロット・シンボルの少なくとも一つの電力スペクトル密度を動的に調整するための手段を含む。
【００１０】
本開示のさらに別の形態はコンピューター可読媒体を含むコンピューター・プログラム製品に関する。コンピューター可読媒体はデータ・シンボルのＰＡＲに基づいてデータ・シンボル及びパイロット・シンボルの少なくとも一つの電力スペクトル密度をコンピューターに決定させるためのコード、及びデータ・シンボルのＰＡＲとパイロット・シンボルのＰＡＲとの間の差分に基づいてデータ・シンボル及びパイロット・シンボルの少なくとも一つの電力スペクトル密度をコンピューターに動的に調整させるためのコードを含む。
【００１１】
本開示のさらに別の形態は無線ネットワークにおける移動局による上り回線伝送のためのパイロット・シンボル及びデータ・シンボルの電力スペクトル密度を制御する命令（instructions）を実行するプロセッサーに関する。その命令はデータ・シンボル及びパイロット・シンボルの少なくとも一つのＰＡＲに基づいてデータ・シンボル及びパイロット・シンボルの少なくとも一つの電力スペクトル密度を決定すること、及びデータ・シンボルのＰＡＲとパイロット・シンボルのＰＡＲとの間の差分に基づいてデータ・シンボル及びパイロット・シンボルの少なくとも一つの電力スペクトル密度を動的に調整することを含む。
【００１２】
前述の概要及び次の詳細な説明は共に典型的なものであり、そして請求の主題のさらなる説明を行うことを意図していることを理解すべきである。
【００１３】
本開示の特徴、本質及び利点は、同じ参照数字が全体を通じ対応して同一視する図と関連して受入れられるとき、下記に説明される詳細な記述からさらに明白になるであろう。
【図面の簡単な説明】
【００１４】
【図１】図１は、本開示のある形態による多元アクセス無線通信システムの略図である。
【図２】図２は、本開示のある形態による無線通信システムの要素のブロック図である。
【図３】図３は、本開示のある形態による無線ネットワークにおける移動局による上り回線伝送のためのパイロット・シンボル及びデータ・シンボルの電力スペクトル密度を制御する方法を例示するフローチャートである。
【図４】図４は、本開示のある形態によるＱＰＳＫ及び１６ＱＡＭの典型的なＰＡＲ（ｄＢ）曲線である。
【図５】図５は、本開示のある形態によるＱＰＳＫ及び６４ＱＡＭの典型的なＰＡＲ（ｄＢ）曲線である。
【図６】図６は、本開示のある形態によるパイロット・シンボル及びデータ・シンボルの電力スペクトル密度における変化を受信側に信号通信する方法を例示するフローチャートである。
【図７】図７は、本開示のある形態によるパイロット及びデータ・シンボルの電力スペクトル密度が受入れ可能かどうかを判定する方法を例示するフローチャートである。
【発明の詳細な説明】
【００１５】
以下の詳細な説明では、主題技術の十分な理解をするために特定の多数の詳細が説明される。しかしながら、主題技術はこれらの特定の詳細が無くても実施されることは当業者には明白である。他の場合には、周知の構造及び技術は主題技術を不明瞭にしないために詳細には示されていない。
【００１６】
用語「典型的（exemplary）」は「例または例示として役立つ」ことを意味するようにここに使用される。「典型的」としてここに記述されたどの形態及び設計も他の形態及び設計に対して好ましい、或いは有利であると必ずしも解釈されるとは限らない。
【００１７】
参照は主題技術の形態に対して詳細に行われ、その例は添付の図に例示され、ここでは同じ参照数字が常に同じ要素を参照する。
【００１８】
図１は本開示のある形態による多元アクセス無線通信システム１０を示す。アクセスポイント１００は多数アンテナ群を含み、一つの群は１０４及び１０６を含み、別の群は１０８及び１１０を含み、そして追加の群は１１２及び１１４を含む。図１には、各アンテナ群について僅か二つのアンテナしか示されていないが、しかしながら、多かれ少なかれアンテナは各アンテナ群に利用される。アクセス端末１１６はアンテナ１１２及び１１４と通信しており、そこではアンテナ１１２及び１１４は順方向回線１２０上で情報をアクセス端末１１６に伝送し、そして逆方向回線１１８上で情報をアクセス端末１１６から受取る。アクセス端末１２２はアンテナ１０６及び１０８と通信しており、そこではアンテナ１０６及び１０８は順方向回線１２６上で情報をアクセス端末１２２に伝送し、そして逆方向回線１２４上で情報をアクセス端末１２２から受取る。ＦＤＤシステムでは、通信回線１１８、１２０、１２４及び１２６は通信のために異なる周波数を使用する。例えば、順方向回線１２０は逆方向回線１１８（即ち、上り回線（ＵＬ）１１８）によって使われるものとは異なる周波数を使用する。
【００１９】
各アンテナ群及び／またはそれらが通信するように設計されている領域はしばしばアクセスポイント１００のセクターと呼ばれる。図１に示した実施例では、各アンテナ群（例えば、アンテナ１１２及び１１４）はアクセスポイント１００によって網羅された領域の所与のセクターにおけるアクセス端末 ( 例えば、アクセス端末１１６)と通信するように設計されている。
【００２０】
順方向回線１２０及び１２６上の通信では、アクセスポイント１００の送信アンテナは異なるアクセス端末１１６及び１２２のための順方向回線の信号対雑音比を改善するためにビーム形成（beamforming）を利用する。同じく、その通信領域（coverage）を通じて無作為に分散されたアクセス端末１１６及び１２２へ通信するためにビーム形成を使用するアクセスポイント１００は単一アンテナを介して全てのそのアクセス端末に伝送するアクセスポイント１００よりも近隣のセル（示されない）におけるアクセス端末（示されない）へ比較的少ない干渉しかもたらさない。
【００２１】
アクセスポイント１００はアクセス端末１１６及び１２２と通信するために使用される固定局であり、そしてまたノードＢまたは別のいくつかの用語で呼ばれる。上り回線伝送の間、アクセスポイント１００は受信側と云われる。アクセス端末１１６及び１２２はまたユーザー設備（user equipment：ＵＥ）、無線通信デバイス、端末、局、または他の用語で呼ばれる。
【００２２】
図２は本開示のある形態による、ＭＩＭＯシステム２００における典型的な送信機システム２１０（またアクセスポイント１００として知られている）及び受信機システム２５０（また少なくとも一つのアクセス端末１１６及び１２２として知られている）を例示するブロック図である。送信機システム２１０において、いくつかのデータ・ストリームのトラヒック・データはデータ源２１２から送信（ＴＸ）データ・プロセッサー２１４へ提供される。
【００２３】
下り回線伝送では、例えば、各データ・ストリームはそれぞれの送信アンテナ上で伝送される。ＴＸデータ・プロセッサー２１４は符号化データを提供するためにそのデータ・ストリームのために選択された特定の符号化手法に基づいて各データ・ストリームのトラヒック・データをフォーマットし、符号化し、そしてインタリーブする。
【００２４】
各データ・ストリームの符号化データはＯＦＤＭ技術を使用してパイロット・データと多重化される。パイロット・データは一般的に既知の方法で処理される既知のデータ・パターンであり、そしてチャネル応答を推定するために受信機システムにおいて使用される。各データ・ストリームの多重化パイロット及び符号化データはその後変調シンボルを提供するためにそのデータ・ストリームのために選択された特定の変調手法（例えば、ＢＰＳＫ、ＱＰＳＫ、ＭＰＳＫ、またはＭ−ＱＡＭ）に基づいて変調される。各データ・ストリームのデータ速度、符号化、及び変調はプロセッサー２３０によって行われる命令によって決定される。
【００２５】
全てのデータ・ストリームの変調シンボルはその後ＴＸ ＭＩＭＯプロセッサー２２０に提供され、それはさらに変調シンボルを処理する（例えば、ＯＦＤＭのために）。ＴＸ ＭＩＭＯプロセッサー２２０はその後ＮＴ変調シンボル・ストリームをＮＴ送信機（ＴＭＴＲ）２２２ａ〜２２２ｔへ提供する。或る実施例では、ＴＸ ＭＩＭＯプロセッサー２２０はデータ・ストリームのシンボルに対して、そしてそのシンボルが伝送されつつあるアンテナに対してビーム形成荷重（beamforming weights）を適用する。
【００２６】
各送信機２２２は一つ以上のアナログ信号を提供するためにそれぞれのシンボル・ストリームを受取り、且つ処理し、そしてさらにＭＩＭＯチャネル上での伝送に適した変調信号を提供するためにアナログ信号を調整（例えば、増幅、フィルター、及び低位変換）する。送信機２２２ａ〜２２２ｔからのＮＴ変調信号はその後ＮＴアンテナ２２４ａ〜２２４ｔからそれぞれ伝送される。
【００２７】
受信機システム２５０において、伝送された変調信号はＮＲアンテナ２５２ａ〜２５２ｒによって受信され、そして各アンテナ２５２からの受信信号はそれぞれの受信機（ＲＣＶＲ）２５４ａ〜２５４ｒへ提供される。各受信機２５４はそれぞれの受信信号を調整（例えば、フィルター、増幅、及び低位変換）し、標本(samples)を提供するために調整信号をディジタル化し、そしてさらに、対応する「受信」シンボル・ストリームを提供するために標本を処理する。
【００２８】
ＲＸデータ・プロセッサー２６０はそれからＮＴ「検出」シンボル・ストリームを提供するために特定の受信機処理技術に基づいてＮＲ受信機２５４からのＮＲ受信シンボル・ストリームを受取り、且つ処理する。ＲＸデータ・プロセッサー２６０はその後データ・ストリームのトラヒック・データを復元するために検出された各シンボル・ストリームを復調し、逆インタリーブし、そして復号する。ＲＸデータ・プロセッサー２６０による処理は送信機システム２１０においてＴＸ ＭＩＭＯプロセッサー２２０及びＴＸデータ・プロセッサー２１４によって行われる処理と相補的である。
【００２９】
プロセッサー２７０はどの前符号化行列（pre-coding matrix）を使用すべきかを定期的に決定する。プロセッサー２７０は行列指数（matrix index）部分及び階数値（rank value）部分を含む逆方向回線メッセージを定式化する。
【００３０】
逆方向回線メッセージは様々な形式の通信回線及び／または受信データ・ストリームに関する情報を含む。逆方向回線メッセージはそれからＴＸデータ・プロセッサー２３８（それはまたいくつかのデータ・ストリームのトラヒック・データをデータ源２３６から受取る）によって処理され、変調器２８０によって変調され、送信機２５４ａ〜２５４ｒによって調整され、そして送信機システム２１０に返送される。
【００３１】
送信機システム２１０では、受信機システム２５０によって伝送された逆方向回線メッセージを取出すために受信機システム２５０からの変調信号はアンテナ２２４によって受信され、受信機２２２によって調整され、復調器２４０によって復調され、そしてＲＸデータ・プロセッサー２４２によって処理される。プロセッサー２３０はそれからビーム形成荷重を決定するためにどの前符号化行列を使用すべきかを決定し、それから抽出メッセージを処理する。
【００３２】
一つの形態では、論理チャネルは制御チャネル（Control Channels）及びトラヒック・チャネル（Traffic Channels）に分類される。論理制御チャネル（Logical Control Channels）はシステム制御情報を同報するためのＤＬチャネルである同報制御チャネル（Broadcast Control Channel：ＢＣＣＨ）を含む。ページング制御チャネル（Paging Control Channel：ＰＣＣＨ）、それはページング情報を転送するＤＬチャネルである。多報制御チャネル（Multicast Control Channel：ＭＣＣＨ）、それはマルチメディア同報及び多報サービス（Multimedia Broadcast and Multicast Service：ＭＢＭＳ）の予定計画及び一つまたはいくつかのＭＴＣＨの制御情報を伝送するために使用されるポイント対マルチポイント（point-to-multipoint）ＤＬチャネルである。一般に、ＲＲＣ接続を確立した後、このチャネルはＭＢＭＳ（注: 古いＭＣＣＨ＋ＭＳＣＨ）を受取るＵＥによって使用されるだけである。専用制御チャネル（Dedicated Control Channel：ＤＣＣＨ）は専用制御情報を伝送し、そしてＲＲＣ接続を持つＵＥによって使用される二地点間双方向チャネルである。形態として、論理トラヒック・チャネル（Logical Traffic Channels）は一つのＵＥに対して専用され、ユーザー情報の転送のための二地点間双方向チャネルである。 同様に、ポイント対マルチポイントＤＬチャネルに関する多報トラヒック・チャネル（Multicast Traffic Channel：ＭＴＣＨ）はトラヒック・データを伝送するためのものである。
【００３３】
一つの形態では、転送チャネル（Transport Channels）はＤＬ及びＵＬに分類される。ＤＬ転送チャネルは全体のセル上で同報され、そして他の制御／トラヒック・チャネルのために使用されるＰＨＹ資源に写像される同報チャネル（Broadcast Channel：ＢＣＨ）、下り回線共有データ・チャネル（Downlink Shared Data Channel：ＤＬ−ＳＤＣＨ）及びページング・チャネル（ＰＣＨ）を含み、ＰＣＨはＵＥの電力節約（UE power saving）を支援するためのものである（ＤＲＸサイクルはネットワークによってそのＵＥに示される）。ＵＬ転送チャネルはランダム・アクセス・チャネル（ＲＡＣＨ）、要求チャネル（ＲＥＱＣＨ）、上り回線共有データ・チャネル（Uplink Shared Data Channel：ＵＬ−ＳＤＣＨ）及び複数のＰＨＹチャネルを含む。ＰＨＹチャネルは一組のＤＬチャネル及びＵＬチャネルを含む。
【００３４】
ある形態によると、ＤＬ ＰＨＹチャネルは：共通パイロット・チャネル（Common Pilot Channel：ＣＰＩＣＨ）；同期チャネル（Synchronization Channel：ＳＣＨ）；共通制御チャネル（Common Control Channel：ＣＣＣＨ）；共有ＤＬ制御チャネル（Shared DL Control Channel：ＳＤＣＣＨ）；多報制御チャネル（Multicast Control Channel：ＭＣＣＨ）；共有ＵＬ割当チャネル（Shared UL Assignment Channel：ＳＵＡＣＨ）；承認チャネル（ＡＣＫＣＨ）；ＤＬ物理的共有データ・チャネル(DL Physical Shared Data Channel:ＤＬ−ＰＳＤＣＨ)；ＵＬ電力制御チャネル（ＵＰＣＣＨ）；ページング指標チャネル（Paging Indicator Channel：ＰＩＣＨ）；及び負荷指標チャネル（Load Indicator Channel：ＬＩＣＨ）を含む。しかしながら、ＤＬ ＰＨＹは特定の形態に全く制限されない。
【００３５】
ある形態によると、ＵＬ ＰＨＹチャネルは：物理的ランダム・アクセス・チャネル（ＰＲＡＣＨ）；チャネル品質指標チャネル（Channel Quality Indicator Channel：ＣＱＩＣＨ）；承認チャネル（ＡＣＫＣＨ）；アンテナ部分集合指標チャネル（Antenna Subset Indicator Channel：ＡＳＩＣＨ）；共有要求チャネル（Shared Request Channel：ＳＲＥＱＣＨ）；ＵＬ物理的共有データ・チャネル（ＵＬ−ＰＳＤＣＨ）；及び広帯域パイロット・チャネル（Broadband Pilot Channel：ＢＰＩＣＨ）を含む。しかしながら、ＵＬ ＰＨＹは特定の形態に全く制限されない。
【００３６】
図３は本開示のある形態による、無線ネットワークにおける移動局１１６または１２２による上り回線伝送のためのパイロット・シンボル及びデータ・シンボルの電力スペクトル密度を制御する方法を例示するフローチャートである。本開示はＥ−ＵＴＲＡ ＵＬ伝送を参照する；しかしながら、あらゆるＵＬ伝送が請求の特徴を提供するために使用されうることに注意すべきである。そのピーク対平均比率（peak-to-average ratio：ＰＡＲ）の利点により、ＬＦＤＭが伝送波形として選択される。Ｅ−ＵＴＲＡ ＵＬ仕様によれば、ＱＰＳＫ及び１６ＱＡＭはデータ伝送の基本変調手法である。さらに、しかしながら、高信号対雑音比（ＳＮＲ）を持つユーザーのために６４ＱＡＭが使用される。例えば、ザドフ−チュー（Zadoff-Chu）系列といった定包絡線系列(constant envelop sequences)がパイロット系列として選択される。ある形態によれば、パイロット及びデータは各サブフレーム内でＴＤＭで伝送され、そこではパイロットは一般に二つの短いＬＦＤＭシンボルを占有し、そしてデータは六つの長いＬＦＤＭシンボルを占有する。勿論、本開示は上で述べた形態に制限されず、そして当業者は様々な技術が実施できることを理解するであろう。
【００３７】
ステップ３００において、アクセス端末１１６はアクセス端末１１６によって使用される特定の伝送手法に関して、データ・シンボルのピーク対平均比率（peak-to-average ratio：ＰＡＲ） に基づいて、例えば、データ・シンボル及びパイロット・シンボルの少なくとも一つの電力スペクトル密度を決定する。電力スペクトル密度はそれが無線通信システム１０の電力増幅器の線形領域によって定義された最大電力内にあるように決定される。従って、例えば、電力増幅器の（線形領域内の）最大電力とデータ・シンボルの電力スペクトル密度との間の差分が少なくともデータ・シンボルのＰＡＲになるようにデータ・シンボルの電力スペクトル密度は、例えば、アクセス端末１１６内の調整可能ディジタル利得ユニット（示されてない）によって低減される。
【００３８】
ステップ３００から、処理はステップ３１０へ進み、そこではデータ・シンボル及びパイロット・シンボルの少なくとも一つの電力スペクトル密度はパイロット・シンボルのＰＡＲとデータ・シンボルのＰＡＲとの間の差分に基づいて動的に調整される。パイロット・シンボルに関して、例えば、ザドフ−チュー系列のような多相系列（polyphase sequence）が使用されるならば、パイロット系列は時間内で定包絡線を持つであろう。その結果、パイロット・シンボルのＰＡＲは０ｄＢである。従って、この場合には、電力増幅器バックオフは定包絡特性のためにさらにいっそう緩和される。パイロット・シンボルの電力スペクトル密度は調整可能なディジタル利得ユニットにより、データ・シンボルのＰＡＲとパイロット・シンボルのＰＡＲとの間の差分によって増加され、その結果パイロット・シンボルの電力スペクトル密度もまた電力増幅器の線形領域内にある。例えば、パイロット・シンボル・バーストの伝送電力スペクトル密度が４〜５ｄＢだけ増加するならば、これは無線ネットワーク通信可能区域の端部近くの無歪限界ユーザーのチャネル推定を著しく向上することができ、それはさらに高システム通信可能区域または全体セクター処理能力をもたらす。
【００３９】
例えば、データ・シンボルのＰＡＲはそれぞれの変調手法に基づいて、アクセス端末１１６のメモリー２７２内の検索表（lookup table）から取得される。図４は本開示のある形態による、ＱＰＳＫ及び１６ＱＡＭの典型的なＰＡＲ（ｄＢ）曲線を示す。参照数字４００、４１０、４２０、４３０及び４４０はＬＦＤＭ−１６ＱＡＭ、ＬＦＤＭ−ＱＰＳＫ、ＬＦＤＭ−順序交換（Permute）、ＯＦＤＭ−１６ＱＡＭ及びＯＦＤＭ−ＱＰＳＫのＰＡＲ曲線をそれぞれ示す。図５は本開示のある形態による、ＱＰＳＫ及び６４ＱＡＭの典型的なＰＡＲ（ｄＢ）曲線を示す。参照数字５００、５１０、５２０、５３０及び５４０はＬＦＤＭ−６４ＱＡＭ、ＬＦＤＭ−ＱＰＳＫ、ＬＦＤＭ−順序交換（Permute）、ＯＦＤＭ−６４ＱＡＭ及びＯＦＤＭ−ＱＰＳＫのＰＡＲ曲線をそれぞれ示す。
【００４０】
例えば、図４及び５に示したように、ＳＩＭＯユーザーについて：ＱＰＳＫ：１％で、ＱＰＳＫのＰＡＲは４．５ｄＢである（参照数字４１０）；１６ＱＡＭ：１％で、１６ＱＡＭのＰＡＲは５．１ｄＢである（参照数字４００）；６４ＱＡＭ：１％で、６４ＱＡＭのＰＡＲは５．３ｄＢである（参照数字５００）。ＭＩＭＯユーザーについて：ＱＰＳＫ及び１６ＱＡＭのＰＡＲは順序交換（permutation）が多数アンテナ・ストリームに適用されないならば同じままである；そして順序交換がＱＰＳＫ及び１６ＱＡＭのストリームに適用されるならばＰＡＲは４．８ｄＢである。アクセス端末１１６はＰＡＲ曲線によって提供されたこれらの値の推測知識を持っており、そしてそれぞれのＰＡＲ値を検索表に記憶させる。これらのＰＡＲ値を使用して、プロセッサー２７０は上で述べた処理を使用してデータ及びパイロット・シンボルの電力スペクトル密度の変化を決定する。
【００４１】
例えば、Ｅ−ＵＴＲＡ ＵＬ伝送を使用すると、一般的に考察される二つのＵＬ数占い(numerologies)がある。第一に、一形態によると、 各１ｍｓの送信端末同定（transmit terminal identification：ＴＴＩ）内に４個の短いＴＤＭパイロット・バーストと１２個の長いＴＤＭデータ・バーストがある。この形態に関して、パイロット及びデータ・シンボルの電力スペクトル密度はＴＴＩ内で８回調整される。第二に、一形態によると、各１ｍｓ ＴＴＩの中に２個の長いＴＤＭパイロット・バーストと１２個の長いＴＤＭデータ・バーストがある。この形態に関して、パイロット及びデータ・シンボルの電力スペクトル密度はＴＴＩの中でただ４回だけ調整される。勿論、これらのＵＬ予想（numerologies）は単に例であり、そして他の予想も使用される。
【００４２】
ある形態によると、ステップ３１０から、処理はステップ３２０へ進み、そこではパイロット及びデータ・シンボルの電力スペクトル密度の変化が受信側に信号で送られる。伝送されたパイロット及びデータ・シンボルの電力スペクトル密度は参照信号の電力スペクトル密度レベル及び参照信号電力スペクトル密度レベルに関する差分電力スペクトル密度調整（即ち、電力スペクトル密度の変化）に基づいて計算される。このように、アクセス端末１１６はアクセスポイント１００によって使用される参照シンボルの電力スペクトル密度を知るようになる。
【００４３】
図６は本開示のある形態による、（図３を参照して上で述べたように）パイロット・シンボル及びデータ・シンボルの電力スペクトル密度の変化をアクセスポイント１００に信号通信する方法を例示するフローチャートである。ステップ６００において、アクセス端末１６６内のプロセッサー２７０はアクセスポイント１００によって使用される参照信号の電力スペクトル密度を決定する。ある形態によれば、参照信号の二つの可能な候補が存在する：ＣＱＩチャネル、それは２ｍｓ毎に伝送され、そこではＱＰＳＫ変調がＣＱＩチャネルのために使用される；或いは、広帯域パイロット、それは１０ｍｓ毎に伝送される。ザトフ−チュー系列のような定包絡系列は広帯域パイロット系列として使用される。勿論、本開示はこれらの二つの候補参照信号に制限されず、そして他の参照信号も請求の特徴を達成するために使用される。正確な参照信号がアクセス端末１１６に分かっているとき、その電力スペクトル密度はメモリー２７２に記憶されるので分かるであろう。
【００４４】
参照信号の電力スペクトル密度を決定するために、アクセス端末１１６は最初にどの参照信号がアクセスポイント１００によって使用されるかを決定する。一つの例として、参照信号は無線ネットワークにわたって一貫しており、そしてこのように、アクセス端末１１６は常に参照信号の仕様が分かっている。別の例として、ＣＱＩ及び広帯域パイロットの両者は参照信号として使用されるが、それがセクター内で全てのアクセス端末１１６について同じであるならば、参照信号の形式はＢＣＨで同報される。なお別の例として、ＣＱＩ及び広帯域パイロットの両者が所与のセクター（例えば、ユーザー速度に応じて異なる参照信号を使用する）において異なるアクセス端末１１６の参照合図として使用されるならば、参照信号の形式はＬ３信号通信を通して示される。
【００４５】
ステップ６００から、処理はステップ６１０へ進み、そこではパイロット・シンボル及びデータ・シンボルの電力スペクトル密度のそれぞれの変化が計算される。パイロット・シンボルの電力スペクトル密度の変化はパイロット・シンボルの電力スペクトル密度と参照信号の電力スペクトル密度との間の差分に基づいて決定され、そしてデータ・シンボルの電力スペクトル密度の変化はデータ・シンボルの電力スペクトル密度と参照信号の電力スペクトル密度との間の差分に基づいて決定される。
【００４６】
ステップ６１０から、処理はステップ６２０へ進み、そこではパイロット及びデータ・シンボルの電力スペクトル密度の計算されたそれぞれの変化がアクセスポイント１００に伝送される。
【００４７】
図３に戻って参照すると、ステップ３２０から、処理はステップ３３０へ進み、そこではパイロット・シンボル及びデータ・シンボルがアクセスポイント１００に伝送される。
【００４８】
図７は本開示のある形態による、パイロット及びデータ・シンボルの電力スペクトル密度が受入れ可能かどうかを決定する方法を例示するフローチャートである。パイロット及びデータ・シンボルの電力スペクトル密度の変化が（図３の参照数字３２０によって示されたように）アクセスポイント１００に信号通信された後、処理はステップ３２５へ移動し、そこではアクセスポイント１００はパイロット及びデータ・シンボルの電力スペクトル密度が受入れ可能かどうかを判定する。パイロット及びデータ・シンボルが受入れ可能かどうかを判定するための基準はアクセス端末１１６要求によって設定された所定の値を超えない、もしくは電力増幅器線型動作範囲内に動作領域を維持する全体の送信電力を含む。
【００４９】
パイロット及びデータ・シンボルの調整された電力スペクトル密度が受入れ可能であるならば、処理はステップ３３０へ進み、そしてパイロット及びデータ・シンボルは上で述べたようにアクセスポイント１００へ伝送される。電力スペクトル密度が受入れ可能でないことをアクセスポイント１００が決定するならば、処理はステップ３００に戻り、そこではデータ・シンボルの新しい電力スペクトル密度が決定され、そして図３の処理は上で述べたように進む。
【００５０】
上の例はデータ・シンボルの電力スペクトル密度を決定すること、及びパイロット及びデータ・シンボルのＰＡＲ間の差分に基づいてパイロット・シンボルの電力スペクトル密度を動的に調整することに基づいているけれども、当業者は逆のことも起こることを理解するであろう。即ち、パイロット・シンボルの電力スペクトル密度が決定され、そしてデータ・シンボルの電力スペクトル密度はパイロット及びデータ・シンボルのＰＡＲ間の差分に基づいて動的に調整されるであろう。
【００５１】
Ｅ−ＵＴＲＡ ＵＬ伝送に関して、ネットワーク通信可能域はピーク電力で伝送し、そしてなお回線を閉じることができない境界ユーザーによって決定される。これらの低ＳＮＲユーザーにとって、チャネル推定は回線性能を支配する。
【００５２】
パイロット・シンボルの伝送電力スペクトル密度を調整する際の自由度の追加は電力増幅器のバックオフ制限を侵害することなく境界ユーザーのＴ２Ｐを高める可能性を許容する。パイロットのために選択されたザドフ−チュー系列のＰＡＲの利点を開発することによって、例えば、パイロット電力スペクトル密度をさらに増加することができ、従ってデータ及びパイロットの両者は電力増幅器を十分に利用する。チャネル推定の強化は境界ユーザーがさらに良い回線効率を達成するのに役立つことができ、そして通信可能域増加をもたらすことができる。
【００５３】
ここに開示された処理におけるステップの特定の順序及び序列は典型的な方法の例であることは理解されるべきである。設計の好みに基づいて、処理におけるステップの特定の順序及び序列は本開示の範囲内に留まる限り再整理されることは理解される。付随の方法は実例の順序における様々なステップの現在の要素を要求するもので、提示された特定の順序または序列に制限されることを意味しない。
【００５４】
情報及び信号は様々な異なる技術及び技法を使用して表されることを当業者は理解するであろう。例えば、上の記述を通じて参照されるデータ、指示、命令、情報、信号、ビット、シンボル、及びチップは電圧、電流、電磁波、磁場または粒子、光学場または粒子、またはその任意の組合せによって表される。
【００５５】
ここに開示した実施例に関連して述べた様々な例示の論理的モジュール、回路、及びアルゴリズムは電子ハードウェア、コンピューター・ソフトウェア、または両者の組合せとして実施されることを当業者はさらに認識するであろう。ハードウェア及びソフトウェアのこの互換性を明確に例示するために、様々な例示の構成部品、ブロック、モジュール、回路及び、ステップは一般的にそれらの機能性に関して上で述べてきた。ハードウェアまたはソフトウェアとしてそのような機能性が実施されるか否かは全体システムに課せられた特定のアプリケーション及び設計の制約によって決まる。当業者は特定の各アプリケーションについて様々な方法で記載の機能性を実施するかもしれないが、そのような実施の決定は本開示の範囲からの逸脱をもたらすと解釈すべきではない。
【００５６】
ここに開示した実施例に関連して述べた様々な例示の様々な論理的ブロック、モジュール、及び回路は一般用プロセッサー、ディジタル信号プロセッサー（ＤＳＰ）、特定用途集積回路（ＡＳＩＣ）、フィールド・プログラマブル・ゲートアレイ（ＦＰＧＡ）または他のプログラマブル論理デバイス、個別ゲートまたはトランジスター論理回路、個別ハードウェア部品、またはここに述べた機能を実行するために設計されたその任意の組合せによって実施または実行される。一般用プロセッサーはマイクロプロセッサーであるが、これに代るものとして、そのプロセッサーは任意のプロセッサー、コントローラー、マイクロコントローラー、または状態機械である。プロセッサーはまた計算デバイスの組合せ、例えば、ＤＳＰとマイクロプロセッサーの組合せ、複数のマイクロプロセッサー、ＤＳＰコアと連動した一つ以上のマイクロプロセッサー、または任意のそのような他の構成として実施される。
【００５７】
ここに開示した実施例に関連して述べた方法またはアルゴリズムのステップはハードウェアにおいて、プロセッサーによって実行されるソフトウェア・モジュールにおいて、もしくは二つの組合せにおいて直接具現化される。ソフトウェア・モジュールはＲＡＭメモリー、フラッシュ・メモリー、ＲＯＭメモリー、ＥＰＲＯＭメモリー、ＥＥＰＲＯＭメモリー、レジスター、ハードディスク、リムーバブル・ディスク、ＣＤ−ＲＯＭ、または本技術分野で既知の他の形の任意の記憶媒体に在駐する。典型的な記憶媒体はプロセッサーが記憶媒体から情報を読出し、そしてそこへ情報を書込むことができるようにプロセッサーに連結される。これに代るものとして、記憶媒体はプロセッサーに一体化される。プロセッサー及び記憶媒体はＡＳＩＣに在駐する。ＡＳＩＣはユーザー端末に在駐する。これに代るものとして、プロセッサー及び記憶媒体はユーザー端末において個別部品として在駐する。
【００５８】
開示した形態の前述の説明は当業者が誰でも本開示を製造しもしくは使用することを可能にするために提供される。これらの形態への様々な修正は当業者には容易に明白で、そしてここに定義した一般的原理は本開示から逸脱することなしに他の形態に適用される。このように、本開示はここに示した形態に制限されることを意図するものではないが、ここに開示した原理及び新奇な特徴と両立する最も広い範囲を与えられるべきである。
【図１】
2010509853.tif 000003
【図２】
2010509853.tif 000004
2010509853.tif 000005
【図３】
2010509853.tif 000006
【図４】
2010509853.tif 000007
【図５】
2010509853.tif 000008
【図６】
2010509853.tif 000009
【図７】
2010509853.tif 000010
【国際調査報告】
2010509853.tif 000011
2010509853.tif 000012